(57)【要約】【課題】キャビネットの内部スペースの有効利用を図ることができるとともに、電源プラグを抜き差しするときの外力による電気的な接続箇所への影響を少なくする接続部材を提供する。【解決手段】キャビネット内の電子機器に直流電源を供給するコネクタ１２を保持するための接続部材であって、正極の電源バー９、負極の電源バー６と接続してコネクタ１２に給電する正極端子１６及び負極端子１５と、負極の電源バー６またはキャビネットのフレーム部材への固定部２４とを有する。【選択図】図９
2013211948.tif 000002
【特許請求の範囲】
【請求項１】
キャビネット内の電子機器に直流電源を供給するコネクタを保持するための接続部材であって、電源バーと接続してコネクタに給電する正極端子及び負極端子と、電源バーまたはキャビネットのフレーム部材への固定部とを有することを特徴とする接続部材。
【請求項２】
正極端子と負極端子との間に、コンデンサを接続したことを特徴とする請求項１に記載の接続部材。
【請求項３】
正極端子と負極端子との間に、一方の電源バーを支持する隔壁を設けたことを特徴とする請求項１に記載の接続部材。
【請求項４】
固定部は負極端子に対向させて配置し、負極の電源バーを挟み込むように配置したことを特徴とする請求項１に記載の接続部材。
【発明の詳細な説明】
【技術分野】
【０００１】
本発明は、キャビネット内部の機器に対して直流給電が可能な直流給電キャビネットに用いられる接続部材に関するものである。
【背景技術】
【０００２】
キャビネット内部の機器に対して直流給電が可能な直流給電キャビネットとしては、特許文献１に示されるように、樹脂部品により覆われた電源バーをキャビネットの内部に配置した構造のものがある。この特許文献１の直流給電キャビネットは、電源バーやアダプタ等を完全に樹脂部品で覆い、着脱自在とした構造である。
【０００３】
しかしこの直流給電キャビネットは、負荷に電源を供給するための接続部材を接続すると突出部分が大きくなり、キャビネットの内部スペースの有効利用を図る上での障害となるという問題があった。また、接続部材に負荷の電源プラグが嵌合されるコネクタを設けた場合、電源プラグを抜き差しするときの外力によって電気的な接続箇所が影響を受け易いという問題があった。
【先行技術文献】
【特許文献】
【０００４】
【特許文献１】特開２００５−１８４９９３号公報
【発明の概要】
【発明が解決しようとする課題】
【０００５】
従って本発明の目的は上記した従来の問題点を解決し、電源プラグを抜き差しするときの外力によって電気的な接続箇所が影響を受けることを少なくする接続部材を提供することである。
【課題を解決するための手段】
【０００６】
上記の課題を解決するためになされた本発明の接続部材は、キャビネット内の電子機器に直流電源を供給するコネクタを保持するための接続部材であって、電源バーと接続してコネクタに給電する正極端子及び負極端子と、電源バーまたはキャビネットのフレーム部材への固定部とを有することを特徴とするものである。
【０００７】
請求項２のように、正極端子と負極端子との間に、コンデンサを接続することが好ましく、また請求項３のように、正極端子と負極端子との間に、一方の電源バーを支持する隔壁を設けることが好ましい。さらに請求項４のように、固定部は負極端子に対向させて配置し、負極の電源バーを挟み込むように配置することが好ましい。
【発明の効果】
【０００８】
本発明の直流給電キャビネット用の接続部材は、コネクタを保持するとともに、電源バーと接続してコネクタに給電する正極端子及び負極端子を備えたものであるから、突出部分を大きくすることなく、キャビネット内の電子機器に直流電源を供給することができる。また電源バーまたはキャビネットのフレーム部材への固定部を備えたものであるから、電源プラグを抜き差しするときの外力による電気的な接続箇所への影響を少なくすることができる。
【０００９】
請求項２のように接続部材にコンデンサを組み込んだ構造とすれば、キャビネット内の電圧変動を抑制することができる。
【００１０】
請求項３のように正極端子と負極端子との間に一方の電源バーを支持する隔壁を設ければ、絶縁壁として機能するとともに、電源バーの支持点が多くなり、短絡時における電磁力による電源バーの変形を防止することができる。
【００１１】
請求項４のように固定部は負極端子に対向させて配置し、負極の電源バーを挟み込むように配置すれば、電源バーに接続部材を強固に固定することができるとともに、電源バーに接続部材を仮保持させることも可能となる。
【図面の簡単な説明】
【００１２】
【図１】直流給電キャビネットの構造を説明する斜視図である。
【図２】要部の斜視図である。
【図３】図２のＡ方向からの斜視図である。
【図４】コネクタのない位置での水平断面図である。
【図５】コネクタのある位置での水平断面図である。
【図６】実施形態の接続部材の斜視図である。
【図７】接続部材の裏面の斜視図である。
【図８】接続部材の平面図である。
【図９】接続部材の斜視図である。
【図１０】接続部材の斜視図である。
【発明を実施するための形態】
【００１３】
以下に本発明の実施形態を説明する。
図１は本発明の接続部材が組み込まれた直流給電キャビネットの構造を説明する斜視図であり、１は縦フレーム、２は横フレーム、３は奥行フレームである。これらの１２本のフレームによりキャビネットの骨格構造を形成している。また４は各縦フレーム１の内側近傍に平行配置されたマウントレールであり、多数の機器取付孔を備えて様々な高さに各種機器を取り付けることができるようになっている。縦フレーム１とマウントレール４との間にはカバー１０が取付けられている。
【００１４】
この実施形態のキャビネットはサーバ等を収納するためのものであり、サーバ等の負荷機器に直流電源を供給するために、図１の手前左右のマウントレール４と側板との間に、上下方向に延びる電源バーを配置してある。なお図１の手前側はキャビネットの奥側である。このようにキャビネットの奥側部分に電源バーを配置したのは、サーバ等の背面に接続されている電源プラグに直流電源を供給し易いためである。しかし電源バーの位置は必ずしもこの実施形態に限定されるものではなく、前面側とすることも可能である。５はキャビネットの底部に配置された直流電源ユニットである。なお、直流電源ユニットはマウントレールに取り付けられていてもよく、その取り付け位置も底部近傍が好ましいが特に限定されない。
【００１５】
図２は要部の斜視図、図３は図２のＡ方向からの斜視図、図４と図５は図３に示した部分の水平断面図である。これらの図面に示されるように、縦フレーム１の内側には負極の電源バー６が支持部材７によって垂直に支持されている。また負極の電源バー６と平行に、クリートと呼ばれる円柱状の絶縁部材８を介して正極の電源バー９が所定の間隔で積層状に支持されている。これらの負極の電源バー６と正極の電源バー９とによって構成される電源バーの下端部は、直流電源ユニット５に接続されている。電源バーの積層方向は、キャビネットの奥行方向とすることが好ましい。
【００１６】
図３、図４に示されるように、負極の電源バー６と正極の電源バー９とは、一方の電源バーを他方の電源バーに対して電源バ−の幅方向にずらして配置してある。この実施形態では負極の電源バー６を外側とし、正極の電源バー９を内側としてある。このような配置とすれば、正極の電源バー９とキャビネットの側板までの絶縁距離を確保することができる。なお負極の電源バー６はマウントレール４に固定することもでき、必ずしも縦フレーム１に支持させなくても差支えない。また正極の電源バー９は保護カバー２６によってその一部が覆われている。
【００１７】
このように負極の電源バー６を正極の電源バー９に対して幅方向にずらせて外側に配置したので、負極の電源バー６の側方に空間部１１が形成される。本実施形態では、負極の電源バー６の内側とカバー１０との間に、図４に示すように空間部１１が形成される。この空間部１１に図３、図５に示すように接続部材１３が配置される。この接続部材１３はサーバ等の負荷と接続して直流給電を行うためのもので、上下方向に所定のピッチで多数設けられている。接続部材１３はその一部が空間部１１に位置していていることが好ましい。なおカバー１０は縦フレーム１とマウントレール４との間に配置された板であり、コネクタ１２の前面の差込部１７を露出させる開口部を備えている。
【００１８】
図５に示すように、本発明では、接続部材１３は負荷から引き出された電源プラグと接続するコネクタ１２をケース部１４で保持しており、このケース部１４を電源バーに固定することによって所定位置に支持されている。しかしケース部１４の固定方法はこの実施形態に限定されるものではなく、キャビネット内のフレーム部材として設けられた縦フレーム１、マウントレール４、カバー１０などに固定してもよい。また固定の手段もネジに限定されず、係止爪等を用いることもできる。また、接続部材１３はコネクタ１２と後述する接続端子のみから構成されていてもよい。
【００１９】
図６は本発明の実施形態の接続部材１３の拡大斜視図、図７は背面斜視図である。これらの図に示すように、接続部材１３のケース部１４は略クランク状に屈曲しており、その一面側にコネクタ１２が配置され、反対面側に負極端子１５と正極端子１６とが配置されている。一面側に配置されたコネクタ１２は接続ピン２１を反対面側に突出させて接続端子１５、１６に接合している。コネクタ１２は略直方体状であり、接続部材１３のケース部１４に保持されている。コネクタ１２の先端の差込部１７は接続部材１３の端部に面し、負荷機器の電源プラグが接続される。なおコネクタ１２の後端はケース部１４の凹部１８に保持されている。
【００２０】
図６に示されるように、コネクタ１２の先端部にはコの字状の保護部材１９が設けられている。この保護部材１９は上下の端部がケース部１４から突設された上下のリブ２０に保持されている。この保護部材１９はコネクタ１２の先端部を保護するとともに、負荷機器の電源プラグを抜き差しする際にコネクタ１２に作用する左右方向の外力に抗してコネクタ１２をケース部１４に安定に保持する機能を持つ。また、リブ２０は上下方向の外力に抗してコネクタ１２を安定に保持するものである。なおケース部１４のコネクタ１２を設置する面には突起（図示せず）を形成し、抜き差しする方向に働く外力による影響を少なくすることが好ましい。これらの構造によって、電源プラグを抜き差しする際にコネクタ１２と接続端子１５、１６との接合部（接続ピン２１）に外力が働くことを回避することができる。またコネクタ１２に働く外力が接続端子１５、１６に作用しないため、後述するように接続端子１５、１６を板ばね等からなるプラグ端子で構成し電源バーを挟み込むように接続しても安定した電気的な接続状態を得ることができる。
【００２１】
接続部材１３の反対面側には２枚の接続端子１５、１６が固定されている。この実施形態では負極端子１５はクランク状であり、正極端子１６は略コの字状である。図８に示すようにこれらの負極端子１５と正極端子１６は前記した負極の電源バー６と正極の電源バー９の露出部分に、それぞれネジ２２によって接続固定される。前記したように負極の電源バー６と正極の電源バー９はずらして配置されているので、それに対応するように負極端子１５は正極端子１６よりも長く形成されている。なお、露出部分とは所定の間隔で積層した双方の電源バーを積層した方向からみた場合に、表側にある一方の電源バー全体と裏側にある他方の電源バーのうち一方の電源バーと重ならない部分とをいう。本実施形態では、積層した方向からみた正極の電源バー６全体の面と、負極の電源バー９のうち正極の電源バーに隠されずに露出している部分が露出部分である。例えば接続端子が板ばね等からなるプラグ端子で電源バーを挟み込むように接続するものであってもよい。
【００２２】
接続部材１３の反対面側の負極端子１５と正極端子１６との間には、隔壁２３が形成されている。この隔壁２３は絶縁壁として機能するのみならず、図８に示すように正極の電源バー９の内側に当接して支持し、短絡時に正極の電源バー９と負極の電源バー６とが電磁力により接近する方向に変形することを防止する機能をも発揮する。また、接続部材１３は所定間隔で双方の電源バーに配置されるので、正極の電源バー９は隔壁２３によってキャビネットに対して安定的に保持することができる。
【００２３】
本発明では、接続部材１３の端部に負極の電源バー６への固定部２４が形成されている。図８に示すように固定ねじによってこの固定部２４を負極の電源バー６に強固に固定することによって、電源プラグの抜き差し時の外力の影響を緩和している。また図８に示すように負極の電源バー６を両面から挟み込む形状となっているので、より強固な接続が可能となるのみならず、接続部材１３を一時的に負極の電源バー６に仮保持させることも可能となる。なお、固定部２４はカバー１０を外すとキャビネットの背面開口側に露出するため、物理的な固定を容易に行うことができる。
【００２４】
図８〜図１０に示すように、接続部材１３の正極端子１６と負極端子１５との間に、コンデンサ２５を配置することが好ましい。コンデンサ２５はサーバ等の負荷変動により電源バーの電圧が一時的に変動し、他の負荷に供給する電圧が変動することを防止するために有効である。
【００２５】
この実施形態では、接続部材１３の負極端子１５と正極端子１６との間にコンデンサ２５を隔壁２３を跨ぐように接続し、接続端子１５、１６と平行に配置していて、必要に応じて接続部材ごと取り替え可能としている。しかしコンデンサ２５の取付方法はこれに限定されるものではなく、例えばコンデンサ２５をユニット化しておいて板ばね等からなるプラグ端子によって接続部材１３に着脱自在としたり、双方の電源バーの任意の位置に取付けることもできる。実施形態のように負極の電源バー６を正極の電源バー９との間にコンデンサ２５を位置させれば、双方の電源バー外部への突出がなくなり設置スペースを減少させ不意の外力が働く恐れが少なくなる利点がある。
【００２６】
なおコンデンサ２５はサーバ等の負荷の設置位置に対応して電源バーに所定間隔で複数個配置することが好ましく、この実施形態のように接続部材１３の接続端子に接続する構成とすれば、負荷の配置に対応させ易い。最大出力の大きい負荷の近傍には、予めコンデンサ２５が接続された接続部材１３を選択することが好ましい。このほか、予めコンデンサ２５が接続された接続部材１３を電源バーの任意の位置に設置することも可能である。
【００２７】
以上に説明したように、本発明の直流給電キャビネット用の接続部材１３は、正極端子１６と負極端子１５とによりコネクタ１２を負極の電源バー６と正極の電源バー９の露出部に接続し、キャビネット内部のサーバ等の負荷機器に直流電源を供給することができるものである。この接続部材１３は負極の電源バー６と正極の電源バー９との間のスペースに取付けることができるので、双方の電源バー外部への突出がなくなり設置スペースを減少させ不意の外力が働く恐れを少なくすることができる。また、キャビネットの開口部付近に設置してもサーバ等の負荷機器の設置を妨げない。またデータセンター等においては多数のキャビネットが連結されて設置されているため、接続部材１３の交換を容易にできるようにしておくことが望まれるが、本発明の直流給電キャビネットは接続部材１３を開口部付近に設置できるため、好適である。また、本発明の直流給電キャビネット用の接続部材１３は、電源バーまたはキャビネットのフレーム部材への固定部を備えたものであり、電源プラグを抜き差しするときの外力による電気的な接続箇所への影響を少なくすることができる。
【符号の説明】
【００２８】
１  縦フレーム
２  横フレーム
３  奥行フレーム
４  マウントレール
５  直流電源ユニット
６  負極の電源バー
７  支持部材
８  絶縁部材
９  正極の電源バー
１０  カバー
１１  空間部
１２  コネクタ
１３  接続部材
１４  ケース部
１５  負極端子
１６  正極端子
１７  差込部
１８  凹部
１９  保護部材
２０  リブ
２１  接続ピン
２２  ネジ
２３  隔壁
２４  固定部
２５  コンデンサ
２６  保護カバー
【図２】
2013211948.tif 000003
【図３】
2013211948.tif 000004
【図４】
2013211948.tif 000005
【図５】
2013211948.tif 000006
【図６】
2013211948.tif 000007
【図７】
2013211948.tif 000008
【図８】
2013211948.tif 000009
【図９】
2013211948.tif 000010
【図１０】
2013211948.tif 000011
【図１】
2013211948.tif 000012